(57)【要約】【課題】複数の無線端末局から送信されるＭＩＭＯ−ＯＦＤＭ信号を受信する無線基地局において、アンテナ特性を周期的に切り替える。【解決手段】所定の周期的な可変タイミングに応じてアンテナ特性の選択または切り替えが可能な特性可変アンテナと、特性可変アンテナに受信した信号に対して受信処理を行うＲＦ部と、ＲＦ部から入力するアナログ信号を特性可変アンテナのアンテナ特性の可変タイミングに対応するサンプリング周期でサンプリングするＡＤＣ部と、ＡＤＣ部から入力するデジタル信号をアンテナ特性ごとのデジタル信号として分割し出力する信号分割部と、信号分割部で分割したデジタル信号を入力し、所定のＭＩＭＯ−ＯＦＤＭの復調処理を行うＭＩＭＯ−ＯＦＤＭ復調部と、ＡＤＣ部のサンプリング周期に応じて、特性可変アンテナのアンテナ特性を周期的に選択または切り替える制御部とを備える。【選択図】  図１
2020068494.tif 000002
【特許請求の範囲】
【請求項１】
ＯＦＤＭ変調による上り回線マルチユーザＭＩＭＯ信号を受信する無線基地局において、
所定の周期的な可変タイミングに応じてアンテナ特性の選択または切り替えが可能な特性可変アンテナと、
前記特性可変アンテナに受信した信号に対して受信処理を行い、受信処理したアナログ信号を出力するＲＦ部と、
前記ＲＦ部から入力するアナログ信号を前記特性可変アンテナのアンテナ特性の可変タイミングに対応するサンプリング周期でサンプリングし、デジタル信号に変換して出力するＡＤＣ部と、
前記ＡＤＣ部から入力するデジタル信号を前記アンテナ特性ごとのデジタル信号として分割し出力する信号分割部と、
前記信号分割部で分割したデジタル信号を入力し、所定のＭＩＭＯ−ＯＦＤＭの復調処理を行うＭＩＭＯ−ＯＦＤＭ復調部と、
前記ＡＤＣ部のサンプリング周期に応じて、前記特性可変アンテナのアンテナ特性を周期的に選択または切り替える前記所定の可変タイミングを前記特性可変アンテナに与える制御部と
を備えたことを特徴とする無線基地局。
【請求項２】
請求項１に記載の無線基地局において、
前記特性可変アンテナは、
それぞれ異なる前記アンテナ特性をもつ複数のアンテナ素子と、
前記複数のアンテナ素子の１つを前記所定の可変タイミングに応じて選択するスイッチと
を備えたことを特徴とする無線基地局。
【請求項３】
請求項１に記載の無線基地局において、
前記特性可変アンテナは、
それぞれ異なる前記アンテナ特性をもつ複数のアンテナ素子と、
前記複数のアンテナ素子の出力を前記所定の可変タイミングに応じてそれぞれ異なる組合せで合成し、前記アンテナ特性を切り替える合成部と
を備えたことを特徴とする無線基地局。
【請求項４】
請求項１に記載の無線基地局において、
前記特性可変アンテナは、
１本の給電アンテナ素子と、
前記給電アンテナ素子を前記所定の可変タイミングに応じた速度で移動または振動または回転させて前記アンテナ特性を切り替える可動手段と
を備えたことを特徴とする無線基地局。
【請求項５】
請求項１に記載の無線基地局において、
前記特性可変アンテナは、
固定の給電アンテナ素子と、
少なくとも１つの無給電アンテナ素子または反射板と、
前記無給電アンテナ素子または反射板を前記所定の可変タイミングに応じた速度で移動または振動または回転させて前記アンテナ特性を切り替える可動手段と
を備えたことを特徴とする無線基地局。
【請求項６】
ＯＦＤＭ変調による上り回線マルチユーザＭＩＭＯ信号を受信する無線基地局受信方法において、
所定の周期的な可変タイミングに応じてアンテナ特性の選択または切り替えが可能な特性可変アンテナで前記上り回線マルチユーザＭＩＭＯ信号を受信し、
ＲＦ部で、前記特性可変アンテナに受信した信号に対して受信処理を行い、受信処理したアナログ信号を出力し、
ＡＤＣ部で、前記ＲＦ部から入力するアナログ信号を前記特性可変アンテナのアンテナ特性の可変タイミングに対応するサンプリング周期でサンプリングし、デジタル信号に変換して出力し、
信号分割部で、前記ＡＤＣ部から入力するデジタル信号を前記アンテナ特性ごとのデジタル信号として分割して出力し、
ＭＩＭＯ−ＯＦＤＭ復調部で、前記信号分割部で分割したデジタル信号を入力し、所定のＭＩＭＯ−ＯＦＤＭの復調処理を行い、
制御部で、前記ＡＤＣ部のサンプリング周期に応じて、前記特性可変アンテナのアンテナ特性を周期的に選択または切り替える前記所定の可変タイミングを前記特性可変アンテナに与える
ことを特徴とする無線基地局受信方法。
【発明の詳細な説明】
【技術分野】
【０００１】
本発明は、複数の無線端末局から送信されるＭＩＭＯ−ＯＦＤＭ信号を受信する無線基地局において、複数のアンテナに対するＲＦ部およびＡＤＣ部を共用化する無線基地局および無線基地局受信方法に関する。
【背景技術】
【０００２】
５ＧHz帯の電波を用いた高速無線アクセスシステムとして、ＩＥＥＥ８０２．１１ａ規格、ＩＥＥＥ８０２．１１ｎ規格、ＩＥＥＥ８０２．１１ａｃ規格（以下、１１ａ規格、１１ｎ規格、１１ａｃ規格という）に基づく無線ＬＡＮがある。１１ａ規格では、直交周波数分割多重（ＯＦＤＭ:Orthogonal Frequency Division Multiplexing ）変調方式をベースとして、マルチパスフェージング環境での特性を安定化させて、最大54Ｍbit/s の伝送速度を実現している。さらに、１１ｎ規格では、複数のアンテナを用いて同一の無線チャネルで空間分割多重を行うＭＩＭＯ（Multiple Input Multiple Output）や、20ＭHzの周波数チャネルを２つ同時に利用して40ＭHzの周波数チャネルを利用するチャネルボンディング技術を用いて、最大 600Ｍbit/s の伝送速度を実現している。
【０００３】
また、１１ａｃの規格（非特許文献１）では、20ＭHzの周波数チャネルを８つまで同時に利用し、最大 160ＭHzの周波数チャネルとして利用するチャネルボンディング技術や、同一の無線チャネルで複数の宛先に対して異なる信号を同時伝送する下り回線のマルチユーザＭＩＭＯ技術等を利用し、１１ｎ規格より高速かつ高効率な無線通信を実現している。
【０００４】
現在では、伝送速度の向上に加えて伝送効率の向上にも焦点を当てたＩＥＥＥ８０２．１１ａｘ規格（以下、１１ａｘ規格という）の策定も進められている。１１ａｘ規格では、同時伝送による空間的な周波数再利用の促進、ＯＦＤＭ変調方式の効率改善、また、マルチユーザ伝送として、上下回線のＯＦＤＭＡ伝送と上り回線のマルチユーザＭＩＭＯ伝送が追加される予定である。
【先行技術文献】
【非特許文献】
【０００５】
【非特許文献１】IEEE Std 802.11ac-2013, Dec. 2013
【発明の概要】
【発明が解決しようとする課題】
【０００６】
図５は、従来の無線基地局の構成例を示す。
図５において、無線基地局５０は、複数（ここでは４本）のアンテナ５１−１〜５１−４、複数のＲＦ部５２−１〜５２−４、複数のＡＤＣ部５３−１〜５３−４、ＭＩＭＯ−ＯＦＤＭ復調部５４により構成される。なお、一般的に無線基地局に搭載される機能ブロックについては省略している。
【０００７】
アンテナ５１−１〜５１−４で受信したＭＩＭＯ−ＯＦＤＭ信号は、それぞれＲＦ部５２−１〜５２−４に入力する。ＲＦ部５２−１〜５２−４は、アンテナ５１−１〜５１−４からそれぞれ入力するＭＩＭＯ−ＯＦＤＭ信号に対して、増幅・周波数変更・フィルタリングなどのアナログ処理を施し、変換した信号をそれぞれＡＤＣ部５３−１〜５３−４に出力する。ここでのＲＦ部は、一般的な無線装置のＲＦフロントエンドの機能が搭載されることを想定する。ＡＤＣ部５３−１〜５３−４は、ＲＦ部５２−１〜５２−４から入力する各アンテナ特性に対応するアナログ信号をデジタル信号に変換し、そのデジタル信号を並列にＭＩＭＯ−ＯＦＤＭ復調部５４に出力する。ＭＩＭＯ−ＯＦＤＭ復調部５４は、各アンテナ特性に応じて並列に入力するデジタル信号Ｄ１〜Ｄ４に対して、無線ＬＡＮシステム等で規定されるＭＩＭＯ−ＯＦＤＭの復調処理を行う。
【０００８】
このように、これまでの無線基地局では、受信信号に対してＭＩＭＯ−ＯＦＤＭ復調を行うためには、アンテナ数に応じたＲＦ部およびＡＤＣ部を設置する必要があった。さらに、近年の５Ｇなどの無線通信システムでは、マッシブＭＩＭＯ伝送のようにアンテナ数の増大が飛躍的に進んでいるため、ＲＦ部およびＡＤＣ部の増加に伴うコストおよび消費電力の増加に関する課題を解決することが求められている。
【０００９】
本発明は、複数の無線端末局から送信されるＭＩＭＯ−ＯＦＤＭ信号を受信する無線基地局において、受信のサンプリング周期に同期してアンテナ特性を周期的に切り替えることにより、ＲＦ部およびＡＤＣ部を共用化することができる無線基地局および無線基地局受信方法を提供することを目的とする。
【課題を解決するための手段】
【００１０】
第１の発明は、ＯＦＤＭ変調による上り回線マルチユーザＭＩＭＯ信号を受信する無線基地局において、所定の周期的な可変タイミングに応じてアンテナ特性の選択または切り替えが可能な特性可変アンテナと、特性可変アンテナに受信した信号に対して受信処理を行い、受信処理したアナログ信号を出力するＲＦ部と、ＲＦ部から入力するアナログ信号を特性可変アンテナのアンテナ特性の可変タイミングに対応するサンプリング周期でサンプリングし、デジタル信号に変換して出力するＡＤＣ部と、ＡＤＣ部から入力するデジタル信号をアンテナ特性ごとのデジタル信号として分割し出力する信号分割部と、信号分割部で分割したデジタル信号を入力し、所定のＭＩＭＯ−ＯＦＤＭの復調処理を行うＭＩＭＯ−ＯＦＤＭ復調部と、ＡＤＣ部のサンプリング周期に応じて、特性可変アンテナのアンテナ特性を周期的に選択または切り替える所定の可変タイミングを特性可変アンテナに与える制御部とを備える。
【００１１】
第１の発明の無線基地局において、特性可変アンテナは、それぞれ異なるアンテナ特性をもつ複数のアンテナ素子と、複数のアンテナ素子の１つを所定の可変タイミングに応じて選択するスイッチとを備える。
【００１２】
第１の発明の無線基地局において、特性可変アンテナは、それぞれ異なるアンテナ特性をもつ複数のアンテナ素子と、複数のアンテナ素子の出力を所定の可変タイミングに応じてそれぞれ異なる組合せで合成し、アンテナ特性を切り替える合成部とを備える。
【００１３】
第１の発明の無線基地局において、特性可変アンテナは、１本の給電アンテナ素子と、給電アンテナ素子を所定の可変タイミングに応じた速度で移動または振動または回転させてアンテナ特性を切り替える可動手段とを備える。
【００１４】
第１の発明の無線基地局において、特性可変アンテナは、固定の給電アンテナ素子と、少なくとも１つの無給電アンテナ素子または反射板と、無給電アンテナ素子または反射板を所定の可変タイミングに応じた速度で移動または振動または回転させてアンテナ特性を切り替える可動手段とを備える。
【００１５】
第２の発明は、ＯＦＤＭ変調による上り回線マルチユーザＭＩＭＯ信号を受信する無線基地局受信方法において、所定の周期的な可変タイミングに応じてアンテナ特性の選択または切り替えが可能な特性可変アンテナで上り回線マルチユーザＭＩＭＯ信号を受信し、ＲＦ部で、特性可変アンテナに受信した信号に対して受信処理を行い、受信処理したアナログ信号を出力し、ＡＤＣ部で、ＲＦ部から入力するアナログ信号を特性可変アンテナのアンテナ特性の可変タイミングに対応するサンプリング周期でサンプリングし、デジタル信号に変換して出力し、信号分割部で、ＡＤＣ部から入力するデジタル信号をアンテナ特性ごとのデジタル信号として分割して出力し、ＭＩＭＯ−ＯＦＤＭ復調部で、信号分割部で分割したデジタル信号を入力し、所定のＭＩＭＯ−ＯＦＤＭの復調処理を行い、制御部で、ＡＤＣ部のサンプリング周期に応じて、特性可変アンテナのアンテナ特性を周期的に選択または切り替える所定の可変タイミングを特性可変アンテナに与える。
【発明の効果】
【００１６】
本発明は、ＯＦＤＭ変調を用いる無線基地局が複数の無線端末局からの信号をＭＩＭＯ受信する環境において、無線基地局は受信のサンプリング周期に同期してアンテナ特性を周期的に変化させ、当該アンテナで取得したデータを同一のアンテナ特性ごとに分割し、その受信信号を異なる信号としてＭＩＭＯ−ＯＦＤＭ受信することで、ＲＦ部およびＡＤＣの共用化によるコストおよび消費電力の低減が可能となる
【図面の簡単な説明】
【００１７】
【図１】本発明における無線基地局および無線端末局の構成例を示す図である。
【図２】本発明における上り回線のマルチユーザＭＩＭＯ伝送のシーケンスの一例を示す図である。
【図３】特性可変アンテナ１１の他の構成例を示す図である。
【図４】本発明における無線基地局の他の構成例を示す図である。
【図５】従来の無線基地局の構成例を示す図である。
【発明を実施するための形態】
【００１８】
図１は、本発明における無線基地局および無線端末局の構成例を示す。
図１において、無線基地局１０と無線通信可能な範囲であるサービスエリア内に２以上の無線端末局２０−１，２０−２が存在する。
【００１９】
無線基地局１０は、特性可変アンテナ１１、ＲＦ部１２、ＡＤＣ部１３、信号分割部１４、ＭＩＭＯ−ＯＦＤＭ復調部１５、制御部１６により構成される。なお、一般的に基地局に搭載される機能ブロックについては省略している。
【００２０】
特性可変アンテナ１１は、制御部１６から入力する制御信号に応じてアンテナ特性（指向性・出力・位相など）を周期的に切り替えるアンテナである。例えば、図５に示す従来のアンテナ５１−１〜５１−４の１つをスイッチＳＷで周期的に切り替える構成に対応する。特性可変アンテナ１１のその他の例については後述する。この特性可変アンテナ１１で受信した信号を１つのＲＦ部１２に出力する。
【００２１】
ＲＦ部１２は、特性可変アンテナ１１から入力した信号に対して、増幅・周波数変更・フィルタリングなどの処理を行い、処理した信号をＡＤＣ部１３に出力される。すなわち、一般的な無線装置のＲＦフロントエンドの機能である。ＡＤＣ部１３では、ＲＦ部１２から入力するアナログ信号をデジタル信号に変更し、信号分割部１４に出力する。また、ＡＤＣ部のサンプリング周期を制御部１６に通知する。信号分割部１４では、ＡＤＣ部１３から入力された信号をサンプリング周期に同期して分割し、ＭＩＭＯ−ＯＦＤＭ復調部１５に出力する。ＭＩＭＯ−ＯＦＤＭ復調部１５では、信号分割部１４で分割した信号について、無線ＬＡＮシステム等で規定されるＭＩＭＯ−ＯＦＤＭの復調処理を行う。
【００２２】
ここで、特性可変アンテナ１１において、例えば４本のアンテナの１つを周期的に選択することによりアンテナ特性を周期的に切り替える場合には、ＡＤＣ部１３は、図５に示す従来のＡＤＣ部５３のサンプリング周期の４倍とし、各アンテナ特性に対応する信号Ｄ１〜Ｄ４を時分割で出力する。制御部１６は、ＡＤＣ部１３のサンプリング周期で４本のアンテナの１つを選択してアンテナ特性を切り替える。また、信号分割部１４は、このサンプリング周期で各アンテナ特性に対応する信号Ｄ１〜Ｄ４を分割してＭＩＭＯ−ＯＦＤＭ復調部１５に出力する。その結果、信号分割部１４の４つの出力ポートには、それぞれ同じアンテナ特性の信号Ｄ１〜Ｄ４が周期的に出力される。
【００２３】
なお、ＡＤＣ部１３でオーバーサンプリングすることによって、さらに細かく標本化し、それらの信号の合成によって少ない周期の信号を発生させてもよい。
【００２４】
また、特性可変アンテナ１１のスイッチＳＷにおいて、複数のアンテナを同時に選択してその合成した信号をＲＦ部１２に出力してもよい。
【００２５】
無線端末局２０−１，２０−２は、ＭＩＭＯ−ＯＦＤＭ変調部２１、ＤＡＣ部２２、ＲＦ部２３、アンテナ２４により構成され、従来構成と同様である。なお、一般的に端末局に搭載される機能ブロックについては省略している。
【００２６】
ＭＩＭＯ−ＯＦＤＭ変調部２１は、無線ＬＡＮシステム等で規定されるＭＩＭＯ−ＯＦＤＭの変調処理を行い、変調信号をＤＡＣ部２２に出力する。ＤＡＣ部２２は、ＭＩＭＯ−ＯＦＤＭ部２１から入力するデジタル信号をアナログ信号に変更し、ＲＦ部２３に出力する。ＲＦ部２３は、ＤＡＣ部２２から入力する信号に対して、増幅・周波数変更・フィルタリングなどの処理を行い、処理した信号をアンテナ２４に出力する。すなわちＲＦ部２３は、一般的な無線装置のＲＦフロントエンドの機能である。アンテナ２４は、ＲＦ部２３から入力する信号を空中に放射する。
【００２７】
図２は、本発明における上り回線のマルチユーザＭＩＭＯ伝送のシーケンスの一例を示す。
図２において、無線基地局１０は、上り回線のマルチユーザＭＩＭＯ伝送を行うために、トリガー信号を無線端末局２０−１，２０−２に送信する。トリガー信号とは、無線端末局同士の送信タイミング・送信電力・周波数などの同期をとるための信号であり、無線ＬＡＮ規格のＩＥＥＥ８０２．１１ａｘで規定されるフレームである。また、トリガー信号は、無線基地局１０の特性可変アンテナ１１の所定のアンテナ特性で送信され、そのアンテナ特性はトリガー信号の送信中に変化させないこととする。
【００２８】
次に、トリガー信号を受信した無線端末局２０−１，２０−２は、トリガー信号に従い、各種パラメータの同期のもと、上り回線のマルチユーザＭＩＭＯ伝送のＯＦＤＭ信号を生成して無線基地局１０に送信する。一方、無線基地局１０は図１の構成により、上り回線のマルチユーザＭＩＭＯ伝送のＯＦＤＭ信号を特性可変アンテナ１１のアンテナ特性を周期的に切り替えながら受信する。受信した信号について誤りがないかを確認し、その結果を応答確認信号によって無線端末局２０−１と２０−２に所定のアンテナ特性で送信する。
【００２９】
なお、トリガー信号および応答確認信号は、特性可変アンテナ１１の４本のアンテナの１つを選択および固定して送信してもよいし、所定のアンテナ特性を有する専用のアンテナを用いて送信してもよい。
【００３０】
図３は、特性可変アンテナ１１の他の構成例を示す。
図３(1) の特性可変アンテナ１１は、合成部１１１で複数のアンテナで受信した信号を合成してＲＦ部１２に出力する構成である。アンテナ特性は、合成するアンテナの組合せにより切り替えられる。例えば、４本のアンテナであれば、２本のアンテナの組合せで６通りのアンテナ特性が得られるので、１本のアンテナによるアンテナ特性を含めて合計10通りのアンテナ特性が得られる。ＡＤＣ部１３のサンプリング周期を従来の10倍にすることにより対応可能である。また、各アンテナに移相器やアッテネータを用いてウエイトを乗算する構成としてもよい。
【００３１】
図３(2) の特性可変アンテナ１１は、１本の給電アンテナ素子１１２を制御部１６の制御により高速に移動（振動）または回転させることにより、アンテナ特性を可変とする構成である。なお、給電アンテナ素子１１２の移動（振動）は円形のレール上を周回させる構成、または直線のレール上を往復運動させる構成により可能である。給電アンテナ素子１１２の回転はロータリージョイントを用いることにより可能である。
【００３２】
図３(3) の特性可変アンテナ１１は、固定された給電アンテナ素子１１３の周りに１または複数の無給電アンテナ素子１１４を配置し、無給電アンテナ素子１１４を制御部１６の制御により高速に移動（振動）または回転させることにより、アンテナ特性を可変とする構成である。無給電アンテナ素子１１４の移動（振動）または回転の方法は、図３(2) の場合と同様である。また、無給電アンテナ素子１１４に替えて、反射板を用いてもよい。なお、反射板は、アンテナ特性を変化させるために、反射板を複雑な面で構成してもよい。また、無給電アンテナ素子１１４に接続される容量を可変させることで、アンテナ特性を可変させる構成としてもよい。
【００３３】
図４は、本発明における無線基地局の他の構成例を示す。
図４において、図１に示す特性可変アンテナ１１と、無線基地局１０のＲＦ部１２、ＡＤＣ部１３、信号分割部１４を２セット備え、各信号分割部１４の出力をＭＩＭＯ−ＯＦＤＭ復調部１５に入力する構成である。ただし、２セットの特性可変アンテナ１１のアンテナは共通であり、制御部１６はスイッチＳＷ１，ＳＷ２でそれぞれ選択するアンテナが異なるように制御する。
【００３４】
また、図３(1) に示す合成部１１１を用いた特性可変アンテナ１１についても同様に構成することができ、それぞれ合成するアンテナの組合せが異なるように制御する。
【符号の説明】
【００３５】
１０  無線基地局
１１  特性可変アンテナ
１２  ＲＦ部
１３  ＡＤＣ部
１４  信号分割部
１５  ＭＩＭＯ−ＯＦＤＭ復調部
１６  制御部
２０  無線端末局
２１  ＭＩＭＯ−ＯＦＤＭ変調部
２２  ＤＡＣ部
２３  ＲＦ部
２４  アンテナ
１１１  合成部
１１２，１１３  給電アンテナ素子
１１４  無給電アンテナ素子
【図１】
2020068494.tif 000003
【図２】
2020068494.tif 000004
【図３】
2020068494.tif 000005
【図４】
2020068494.tif 000006
【図５】
2020068494.tif 000007